(57)【特許請求の範囲】
【請求項１】
開ループ送信ダイバシティを用いるワイヤレス通信システムにおいて使用する送信器であって、該送信器が、
同相第１信号を第２の同相第１信号と時間多重する第１時間マルチプレクサ、
前記第１時間マルチプレクサの出力を第１関数と混合する第１ミキサ、
直交第１信号を第２の直交第１信号と時間多重する第２時間マルチプレクサ、
前記第２時間マルチプレクサの出力を前記第１関数と混合する第２ミキサ、
同相第２信号を反転同相第２信号と時間多重する第３時間マルチプレクサ、
前記第３時間マルチプレクサの出力を第２関数と混合する第３ミキサであって、該第１および第２関数は直交又は準直交関数である、第３ミキサ、
直交第２信号を反転直交第２信号と時間多重する第４時間マルチプレクサ、
前記第４時間マルチプレクサの出力を前記第２関数と混合する第４ミキサ、
前記第３ミキサの出力を切り替えるための第１位置および第２位置を有する第１スイッチ、
前記第４ミキサの出力を切り替えるための第１位置および第２位置を有する第２スイッチであって、該第１および第２スイッチが該第１位置にあるときは該送信器が第１の動作モードにあり、該第１および第２スイッチが該第２位置にあるときは該送信器が第２の動作モードにある、第２スイッチ、
前記第１スイッチが第２位置にあるときであって、前記第１スイッチが第１位置にないとき、前記第１ミキサの出力と前記第３ミキサの出力を加算する第１加算器、
前記第２スイッチが第２位置にあるときであって、前記第２スイッチが第１位置にないとき、前記第２ミキサの出力と前記第４ミキサの出力を加算する第２加算器、
第２の同相第２信号を、前記送信器が第１動作モードにあるときには第２の反転同相第２信号と時間多重し、前記送信器が第２動作モードにあるときには第３の同相第２信号と時間多重する第５時間マルチプレクサ、
前記第５時間マルチプレクサの出力を第３関数と混合する第５ミキサ、
第２の直交第２信号を、前記送信器が第１動作モードにあるときには第２の反転直交第２信号と時間多重し、前記送信器が第２動作モードにあるときには第３の直交第２信号と時間多重する第６時間マルチプレクサ、
前記第６時間マルチプレクサの出力を前記第３関数と混合する第６ミキサ、
第３の同相第１信号を反転同相第１信号と時間多重する第７時間マルチプレクサ、
前記第７時間マルチプレクサの出力を第４関数と混合する第７ミキサであって、該第３および第４関数は直交又は準直交関数である、第７ミキサ、
第３の直交第１信号を反転直交第１信号と時間多重する第８時間マルチプレクサ、
前記第８時間マルチプレクサの出力を前記第４関数と混合する第８ミキサ、
前記送信器が第２動作モードにあるときに前記第５ミキサの出力と前記第７ミキサの出力を加算する第３加算器、及び
前記送信器が第２動作モードにあるときに前記第６ミキサの出力と前記第８ミキサの出力を加算する第４加算器
からなる送信器。
【請求項２】
請求項１記載の送信器であって、さらに、
第１および第２位置を有する第３スイッチであって、該第７ミキサの出力が、該第３スイッチが該第２位置にあるときは該第３加算器に送られ、該第３スイッチが該第１位置にあるときは該第３加算器に送られない、第３スイッチ、
第１および第２位置を有する第４スイッチであって、該第８ミキサの出力が、該第４スイッチが該第２位置にあるときは該第４加算器に送られ、該第４スイッチが該第１位置にあるときは該第４加算器に送られない、第４スイッチ、
からなる送信器。
【請求項３】
請求項１記載の送信器であって、さらに、
前記第３の同相第２信号を反転して前記第２の反転同相第２信号を生成する第１インバータ、
前記第３の直交第２信号を反転して前記第２の反転直交第２信号を生成する第２インバータ、
第１および第２位置を有する第３スイッチであって、該第３の該同相第２信号が、該第３スイッチが該第２位置にあるときは該第５時間マルチプレクサに送られ、該第３スイッチが該第１位置にあるときは該第１インバータに送られる、第３スイッチ、及び
第１および第２位置を有する第４スイッチであって、該第３の該直交第２信号が、該第４スイッチが該第２位置にあるときは該第６時間マルチプレクサに送られ、該第４スイッチが該第１位置にあるときは該第２インバータに送られる、第４スイッチ、
からなる送信器。
【請求項４】
請求項１記載の送信器であって、さらに、
前記第５時間マルチプレクサの出力を増幅する第１増幅器、
前記第６時間マルチプレクサの出力を増幅する第２増幅器、
前記第７時間マルチプレクサの出力を増幅する第３増幅器、
前記第８時間マルチプレクサの出力を増幅する第４増幅器、
前記第１時間マルチプレクサの出力を増幅する、該第１増幅器と同じ関数を持つ増幅器、
前記第２時間マルチプレクサの出力を増幅する、該第２増幅器と同じ関数を持つ増幅器、
前記第３時間マルチプレクサの出力を増幅する、該第３増幅器と同じ関数を持つ増幅器、及び
前記第４時間マルチプレクサの出力を増幅する、該第４増幅器と同じ関数を持つ増幅器
からなる送信器。
【請求項５】
請求項４記載の送信器において、前記第３増幅器が、前記第７時間マルチプレクサの出力を利得Ｇ／√２で増幅し、前記第４増幅器は、前記第８時間マルチプレクサの出力を利得Ｇ／√２で増幅し、前記第１増幅器が、前記第５時間マルチプレクサの出力を利得Ｇで増幅する第１増幅器Ａおよび前記第５時間マルチプレクサの出力を利得Ｇ／√２で増幅する第１増幅器Ｂからなり、前記第２増幅器が、前記第６時間マルチプレクサの出力を利得Ｇで増幅する第２増幅器Ａおよび前記第６時間マルチプレクサの出力を利得Ｇ／√２で増幅する第２増幅器Ｂからなることを特徴とする送信器。
【請求項６】
請求項５記載の送信器であって、さらに、
前記第５時間マルチプレクサの出力を、前記送信器が第１動作モードにあるときに前記第１増幅器Ａに送り、前記送信器が第２動作モードにあるときに前記第１増幅器Ｂに送る第１スイッチ、および
前記第６時間マルチプレクサの出力を、前記送信器が第１動作モードにあるときに前記第２増幅器Ａに送り、前記送信器が第２動作モードにあるときに前記第２増幅器Ｂに送る第２スイッチ
からなる送信器。
【請求項７】
請求項１記載の送信器において、前記第１および第２関数がウォルシュ関数である送信器。
【請求項８】
請求項１記載の送信器において、前記第１関数と前記第２関数が同一である送信器。
【請求項９】
請求項１記載の送信器において、前記第１信号がユーザ信号の偶データビットを含み、前記第２信号が該ユーザ信号の奇データビットを含む送信器。
【発明の詳細な説明】
【０００１】
【発明の属する技術分野】
本発明は、ワイヤレス通信方式に関し、特に、送信ダイバーシチを用いたワイヤレス通信に関する。
【０００２】
【従来の技術】
いくつかの第３世代ワイヤレス通信方式が開発されている。このような第３世代ワイヤレス通信方式の１つは、ＣＤＭＡ２０００として知られているものである。ＣＤＭＡ２０００には、通話品質を改善するためにさまざまな技術が組み込まれている。開ループ送信ダイバーシチはそのような技術の１つであり、ユーザ信号が２つのアンテナを用いて送信されるというものである。ＣＤＭＡ２０００の第１段階において、開ループ送信ダイバーシチは現在、直交送信ダイバーシチ（ＯＴＤ：orthogonal transmit diversity）の形で実装されている。ＯＴＤでは、別々のアンテナを用いて偶データビットおよび奇データビットを送信し、送信ダイバーシチおよび改善された通話品質を実現する。
【０００３】
ＣＤＭＡ２０００の第２段階では、開ループ送信ダイバーシチは、ウォルシュ関数（ウォルシュ符号）を用いた時空間拡散（ＳＴＳ：space time spreading）の形で実装される可能性がある。ＳＴＳは、使用される符号化レートに依存して、ＯＴＤより高い可変利得を提供することにより、通話品質を改善する。具体的には、ＳＴＳでは、奇データビットおよび偶データビットは、別々にではなく共同して、２つのアンテナを通じて送信される。しかし、奇および偶データビットが一方のアンテナを通じて送信される前に変調・処理される方法は、奇および偶データビットが他方のアンテナを通じて送信される前に変調・処理される方法とは異なることになる。
【０００４】
【発明が解決しようとする課題】
ＣＤＭＡ２０００におけるオプションとして両方の開ループ送信ダイバーシチ方式を含めることは、共通の送信器アーキテクチャにそれらを実装する点で非常に複雑になるという懸念がある。したがって、直交送信ダイバーシチ方式および時空間拡散方式を組み込んだ、実装の簡単な共通送信器アーキテクチャが必要とされている。
【０００５】
【課題を解決するための手段】
本発明は、複数の２進スイッチを用いて両方の開ループ送信ダイバーシチを組み込んだ共通送信器アーキテクチャを実現する。直交送信ダイバーシチ（ＯＴＤ）方式または時空間拡散（ＳＴＳ）方式のいずれを送信器が利用しているかを示す２進スイッチの使用により、いくつかのコンポーネントを共有することが可能となる。これにより、送信器内のコンポーネント数は最小化され、送信器の複雑さは、単一の特定用途向け集積チップに組み込むのに十分なだけ単純になる。
【０００６】
送信器は、ＯＴＤモードおよびＳＴＳモードを有し、第１および第２のアンテナシステムを有する。第１アンテナシステムは、時間マルチプレクサ、ミキサ、スイッチおよび加算器を有する。時間マルチプレクサは、同相第１信号を第２の同相第１信号と時間多重して第１時間多重信号を生成し、直交第１信号を第２の直交第１信号と時間多重して第２時間多重信号を生成し、同相第２信号を反転同相第２信号と時間多重して第３時間多重信号を生成し、直交第２信号を反転直交第２信号と時間多重して第４時間多重信号を生成するために用いられる。ミキサは、時間マルチプレクサの出力をウォルシュ関数と混合して第１、第２、第３および第４の混合時間多重信号を生成するために用いられる。第１および第２の混合時間多重信号は加算器に送られる。送信器がＳＴＳモードにある場合、スイッチは、第３および第４の混合時間多重信号を加算器に送り、これらがそれぞれ第１および第２の混合時間多重信号と加算されるようにする。送信器がＯＴＤモードにある場合、スイッチは第３および第４の混合時間多重信号を加算器に送らない。
【０００７】
第２アンテナシステムは、時間マルチプレクサ、ミキサ、スイッチおよび加算器を有する。時間マルチプレクサは、同相第２信号を、送信器が第１動作モードにあるときは反転同相第２信号と時間多重し、送信器が第２動作モードにあるときは同相第２信号と時間多重して、第５時間多重信号を生成し、直交第２信号を、送信器が第１動作モードにあるときは反転直交第２信号と時間多重し、送信器が第２動作モードにあるときは直交第２信号と時間多重して、第６時間多重信号を生成し、同相第１信号を反転同相第１信号と時間多重して第７時間多重信号を生成し、直交第１信号を反転直交第１信号と時間多重して第８時間多重信号を生成するために用いられる。ミキサは、時間マルチプレクサの出力をウォルシュ関数と混合して第５、第６、第７および第８の混合時間多重信号を生成するために用いられる。第５および第６の混合時間多重信号は加算器に送られる。送信器がＳＴＳモードにある場合、スイッチは、第７および第８の混合時間多重信号を加算器に送り、これらがそれぞれ第５および第６の混合時間多重信号と加算されるようにする。送信器がＯＴＤモードにある場合、スイッチは第７および第８の混合時間多重信号を加算器に送らない。
【０００８】
【発明の実施の形態】
図１に、本発明による共通送信器アーキテクチャ１０を示す。送信器１０は通常、基地局に組み込まれ、（ウォルシュ関数またはその他の直交関数を用いて）直交送信ダイバーシチ方式または時空間拡散方式を使用してユーザ信号を変調・処理することが可能である。送信器１０は、第１アンテナシステム１１および第２アンテナシステム２８を有する。説明を簡単にするため、本発明についてここでは１つのユーザ信号に関して既述する。しかし、理解されるように、本発明は、複数のユーザ信号に適用可能である。
【０００９】
送信器１０は、ユーザ信号Ｙを受け取る。ユーザ信号Ｙは、第１アンテナシステム１１あるいは第２アンテナシステム２８によって変調・処理される前に、解析され、偶および奇データビットに分割され、さらに、同相および直交信号に分割される。すなわち、信号Ｙは、信号ＹI1、ＹQ1、ＹI2、およびＹQ2に変換される。ただし、Ｉは同相信号を表し、Ｑは直交信号を表し、１は偶データビットを表し、２は奇データビットを表す。信号ＹI1、ＹQ1、ＹI2、およびＹQ2は、第１アンテナシステム１１および第２アンテナシステム２８に入力される。
【００１０】
第１アンテナシステム１１は、時間マルチプレクサ（ＭＵＸ）１２、インバータ１４、スイッチ１６および２６、増幅器１８および２０、ミキサ２２ならびに加算器２４を有する。スイッチ１６および２６は、第１位置および第２位置を有する。スイッチ１６および２６がすべて第１位置にあるとき、第１アンテナシステム１１は、直交送信ダイバーシチモードで動作する。これに対して、スイッチ１６および２６がすべて第２位置にあるとき、第１アンテナシステム１１は、時空間拡散モードで動作する。
【００１１】
ユーザ信号ＹI1は時間マルチプレクサ１２−１に２回入力される。時間マルチプレクサ１２−１の出力は、ユーザ信号ＹI1とそれ自身との時間多重信号である。スイッチ１６−１が第１位置（すなわち、ＯＴＤモード）にあるとき、時間マルチプレクサ１２−１の出力は増幅器１８−１に送られ、そこで、増幅器１８−１によって利得Ｇで増幅される。スイッチ１６−１が第２位置（すなわち、ＳＴＳモード）にあるとき、時間マルチプレクサ１２−１の出力は増幅器２０−１に送られ、そこで、増幅器２０−１によって利得Ｇ／√２で増幅される。
【００１２】
増幅器１８−１および増幅器２０−１の出力は、ミキサ２２−１でウォルシュ関数Ｗ1と混合された後、加算器２４−１に入力される。なお、ミキサ２２−１は、一度に増幅器１８−１または２０−１のいずれかからの入力のみを受け取る。また、ウォルシュ関数の代わりに、他の直交（または準直交関数）を用いて、増幅器１８−１および２０−１の出力を混合することも可能である。第１アンテナシステム１１がＳＴＳモードにある場合、すなわち、スイッチ１６および２６がすべて第２位置にある場合、ミキサ２２−１の出力は、送信される前に、加算器２４−１によってミキサ２２−３の出力と加算される。これに対して、第１アンテナシステム１１がＯＴＤモードにある場合、すなわち、スイッチ１６および２６がすべて第１位置にある場合、ミキサ２２−１の出力は、送信される前に、加算器２４−１によってミキサ２２−３の出力と加算されない。
【００１３】
ユーザ信号ＹQ1は、時間マルチプレクサ１２−２、スイッチ１６−２、増幅器１８−２および２０−２、ミキサ２２−２、加算器２４−２ならびにウォルシュ関数Ｗ1を用いて、ユーザ信号ＹI1と同様に処理される。
【００１４】
ユーザ信号ＹI2は、ＹI2の反転信号（すなわち、インバータ１４−１の出力）とともに、時間マルチプレクサ１２−３に入力される。時間マルチプレクサ１２−３の出力は、増幅器２０−３に入力され、そこで、利得Ｇ／√２で増幅される。増幅器２０−３の出力は、ミキサ２２−３によって、ウォルシュ関数Ｗ2と混合される。スイッチ２６−１が第２位置にあるとき、ミキサ２２−３の出力は、加算器２４−１に入力され、そこで、ミキサ２２−１の出力と加算されることが可能となる。これに対して、スイッチ２６−１が第１位置にあるとき、ミキサ２２−３の出力は、加算器２４−１に入力されない。
【００１５】
なお、第１アンテナシステム１１によって使用される増幅器は、ＳＴＳモードにあるとき利得Ｇ／√２を有し、ＯＴＤモードにあるとき利得Ｇを有する。このような設定により、モードにかかわらず、第１アンテナシステム１１による出力パワーを同一にすることが可能となる。しかし、理解されるように、増幅器および利得の任意の設定が使用可能である。さらに、第１アンテナシステム１１は、ＯＴＤモードにあるとき、偶データビットのみを送信する。これに対して、第１アンテナシステム１１は、ＳＴＳモードにあるとき、偶奇両方のデータビットを送信する。
【００１６】
ユーザ信号ＹQ2は、時間マルチプレクサ１２−４、インバータ１４−２、増幅器２０−４、ミキサ２２−４、スイッチ２６−２、加算器２４−４ならびにウォルシュ関数Ｗ2を用いて、ユーザ信号ＹI2と同様に処理される。
【００１７】
第２アンテナシステム２８は、スイッチ２９、３３および４０、インバータ３０、時間マルチプレクサ３２、増幅器３４および３６、ミキサ３８ならびに加算器４２を有する。スイッチ２９、３３および４０は、第１位置および第２位置を有する。スイッチ２９、３３および４０が第１位置にあるとき、第２アンテナシステム２８は、ＯＴＤモードで動作する。これに対して、スイッチ２９、３３および４０が第２位置にあるとき、第２アンテナシステム２８は、ＳＴＳモードで動作する。
【００１８】
スイッチ２９−１が第１位置にあるとき、ユーザ信号ＹI2は、反転したユーザ信号ＹI2（すなわち、インバータ３０−１の出力）とともに、時間マルチプレクサ３２−１に入力される。スイッチ２９−１が第２位置にあるとき、ユーザ信号ＹI2は時間マルチプレクサ３２−１に２回入力される。時間マルチプレクサ３２−１において、ユーザ信号ＹI2は、スイッチ２９−１の位置（すなわち、第２アンテナシステム２８のモード）に依存して、自分自身と、または、自分自身を反転したものと時間多重される。
【００１９】
スイッチ３３−１が第１位置にあるとき、時間マルチプレクサ３２−１の出力は増幅器３４−１に送られ、そこで、時間多重信号は増幅器３４−１によって利得Ｇで増幅される。スイッチ３３−１が第２位置にあるとき、時間マルチプレクサ３２−１の出力は増幅器３６−１に送られ、そこで、時間多重信号は増幅器３６−１によって利得Ｇ／√２で増幅される。
【００２０】
増幅器３４−１および３６−１の出力は、ミキサ３８−１に入力され、そこで、ウォルシュ関数Ｗ3と混合される。なお、ミキサ３８−１は、一度に増幅器３４−１または３６−１のいずれかからの入力のみを受け取り、同時に両方は受け取らない。第２アンテナシステム２８がＳＴＳモードにある場合、すなわち、スイッチ２９、３３および４０がすべて第２位置にある場合、ミキサ３８−１の出力は、送信される前に、加算器４２−１によってミキサ３８−３の出力と加算される。これに対して、第２アンテナシステム２８がＯＴＤモードにある場合、すなわち、スイッチ２９、３３および４０がすべて第１位置にある場合、ミキサ３８−１の出力は、送信される前に、加算器４２−１によってミキサ３８−３の出力と加算されない。
【００２１】
ユーザ信号ＹQ2は、スイッチ２９−２、３３−２および４０−２、インバータ３０−２、時間マルチプレクサ３２−２、増幅器３４−２および３６−２、ミキサ３８−２、加算器４２−２ならびにウォルシュ関数Ｗ3を用いて、ユーザ信号ＹI2と同様に処理される。
【００２２】
ユーザ信号ＹI1は、反転したユーザ信号ＹI1とともに、時間マルチプレクサ３２−３に入力される。時間マルチプレクサ３２−３において、ユーザ信号ＹI1は、自分自身を反転したものと時間多重される。時間マルチプレクサ３２−３の出力は増幅器３６−３によって利得Ｇ／√２で増幅される。
【００２３】
増幅器３６−３の出力は、ミキサ３８−３で、ウォルシュ関数Ｗ4と混合される。スイッチ４０−１が第２位置にあるとき、ミキサ３８−３の出力は加算器４２−１に入力され、そこで、ミキサ３８−１の出力と加算される。スイッチ４０−１が第１位置にあるとき、ミキサ３８−３の出力は加算器４２−１に入力されない。
【００２４】
ユーザ信号ＹQ1は、インバータ３０−４、時間マルチプレクサ３２−４、増幅器３６−４、ミキサ３８−４、スイッチ４０−２、加算器４２−４ならびにウォルシュ関数Ｗ4を用いて、ユーザ信号ＹI1と同様に処理される。
【００２５】
なお、第１アンテナシステム１１の増幅器と同様に、第２アンテナシステム２８の増幅器は、ＳＴＳモードにあるとき利得Ｇ／√２を有し、ＯＴＤモードにあるとき利得Ｇを有する。このような設定により、モードにかかわらず、第２アンテナシステム２８による出力パワーを同一にすることが可能となる。しかし、理解されるように、増幅器および利得の任意の設定が使用可能である。さらに、第２アンテナシステム２８は、ＯＴＤモードにあるとき、奇データビットのみを送信する。これに対して、第２アンテナシステム２８は、ＳＴＳモードにあるとき、偶奇両方のデータビットを送信する。
【００２６】
好ましい実施例では、ウォルシュ関数Ｗ1、Ｗ2、Ｗ3およびＷ4は同一である。なお、説明を簡単にするため、本明細書で開示する共通受信器アーキテクチャでは、ウォルシュ関数Ｗ1、Ｗ2、Ｗ3およびＷ4は同一であると仮定する。理解されるように、相異なるウォルシュ関数Ｗ1、Ｗ2、Ｗ3およびＷ4またはそれらの組合せも使用可能であり、また、本明細書で開示する共通受信器アーキテクチャは、相異なるウォルシュ関数Ｗ1、Ｗ2、Ｗ3およびＷ4またはそれらの組合せにも適応可能である。
【００２７】
送信器１０の反対側には、送信器１０によって送信された信号を受信し復調・処理する受信器（通常、移動局に組み込まれる）がある。図２に、本発明による共通受信器アーキテクチャの１つのフィンガ５０を示す。フィンガ５０は、（ウォルシュ関数またはその他の直交関数を用いて）直交送信ダイバーシチ方式または時空間拡散方式を使用して（送信器１０またはそれと同等のものによって送信された）受信信号を復調・処理することが可能である。フィンガ５０は、ミキサ５２、５４、５６、５８、６０および６２、加算器６４、６６、６８および７０、時間マルチプレクサ７２、インバータ５９、６１および６３、積分器５３および５５ならびにスイッチ７４、７６および７８を有する。スイッチ７４、７６および７８は、第１位置および第２位置を有する。スイッチ７４、７６および７８がすべて第１位置にあるとき、フィンガ５０は、ＯＴＤモードで動作する。これに対して、スイッチ７４、７６および７８がすべて第２位置にあるとき、フィンガ５０は、ＳＴＳモードで動作する。
【００２８】
フィンガ５０が信号ｒ（ｔ）を受信すると、受信信号ｒ（ｔ）は、ミキサ５２および５４に入力される。ミキサ５２で、受信信号ｒ（ｔ）は、拡張ウォルシュ関数ｗ（ｔ）、すなわち、反復ウォルシュ関数ｗ（ｔ）と混合される。ミキサ５２の出力は、積分器５３に入力される。ミキサ５４で、受信信号ｒ（ｔ）は、関数バーｗ（ｔ）と混合される。この間数は、拡張ウォルシュ関数ｗ（ｔ）の補関数(complement)である。ミキサ５４の出力は、積分器５５に入力される。なお、前述のように、説明を簡単にするため、送信器１０におけるウォルシュ関数Ｗ1、Ｗ2、Ｗ3およびＷ4は同一であると仮定している。従って、ウォルシュ関数ｗ（ｔ）は、ウォルシュ関数Ｗ1、Ｗ2、Ｗ3およびＷ4と同一である。
【００２９】
積分器５３および５５で、ミキサ５２および５４の出力は、ウォルシュ関数ｗ（ｔ）およびバーｗ（ｔ）の長さ（またはシンボルレート）にわたって積分された後、ダンプされる。なお、ミキサ５２および５４は、チップレートで混合を行う。積分器５３の出力は、ミキサ５６および６２に入力される。積分器５５の出力は、ミキサ５８に入力され、ミキサ５４の出力の共役が、ミキサ６０に入力される。ミキサ５４の出力の共役は、インバータ６１を用いて、ミキサ５４の出力の直交ストリームを反転することによって得られる。
【００３０】
ミキサ５６で、ミキサ５２の出力は、第１アンテナシステム１１のチャネル推定値の共役を表す信号ｈ＾*1と混合される。ミキサ６２で、ミキサ５２の出力は、第２アンテナシステム２８のチャネル推定値の共役を表す信号ｈ＾*2と混合される。ミキサ５８で、ミキサ５４の出力は、信号ｈ＾*2と混合される。ミキサ６０で、ミキサ５４の出力の共役は、第１アンテナシステム１１のチャネル推定値を表す信号ｈ＾1と混合される。なお、一実施例では、第１アンテナシステム１１および第２アンテナシステム２８のチャネル推定値は、それぞれ第１アンテナシステム１１および第２アンテナシステム２８から送信されるパイロット信号を用いて得られる。
【００３１】
ミキサ５６の出力は、加算器６４に入力される。スイッチ７４が第２位置にあるとき、ミキサ５８の出力の共役もまた加算器６４に入力され、そこで、ミキサ５８の出力の共役と、ミキサ５６の出力が加算される。なお、ミキサ５８の出力の共役は、インバータ５９を用いて、ミキサ５８の出力の直交ストリームを反転することによって得られる。加算器６４の出力は、加算器６８に入力され、そこで、他のフィンガからの対応するミキサの出力と加算される。
【００３２】
スイッチ７４が第１位置にあるとき、ミキサ５８の出力は加算器６６に入力される。スイッチ７６および７８が第２位置にあるとき、ミキサ６０の（インバータ６３を介しての）反転出力と、ミキサ６２の出力が、加算器６６に入力される。スイッチ７６および７８が第１位置にあるとき、ミキサ６０の反転出力と、ミキサ６２の出力は、加算器６６に入力されない。なお、ミキサ５８の出力は、ミキサ６０の反転出力およびミキサ６２の出力と同時には加算器６６に入力されない。加算器６６の出力は、加算器７０に入力され、そこで、他のフィンガからの対応するミキサの出力と加算される。
【００３３】
加算器６８および７０の出力は、時間マルチプレクサ７２によって互いに時間多重され、復号器（図示せず）に送られる。なお、いずれのモードでも、ミキサ６４の出力は、偶データビットの受信バージョンに相当し、ミキサ６６の出力は、奇データビットの受信バージョンに相当する。
【００３４】
以上、本発明について、第３世代符号分割多元接続方式に基づくワイヤレス通信方式のようないくつかの実施例に関して説明した。理解されるように、本発明は、他の多元接続方式に基づくワイヤレス通信にも適用可能である。さらに、同じユーザ信号の偶および奇データビットの代わりに、本発明は、相異なるユーザ信号またはその他の組合せに対する偶および奇データビットにも適用可能である。また、本発明は、２つの同一の、（奇および偶データビットに）分割されていないユーザ信号にも適用可能である。このように、本発明は、本明細書に開示した実施例に限定されるものではない。
【００３５】
【発明の効果】
以上述べたごとく、本発明によれば、直交送信ダイバーシチ方式および時空間拡散方式を組み込んだ、実装の簡単な共通送信器アーキテクチャが実現される。
【図面の簡単な説明】
【図１】本発明に従ってウォルシュ関数を用い直交送信ダイバーシチおよび時空間拡散を使用する送信器の図である。
【図２】本発明に従ってウォルシュ関数を用い直交送信ダイバーシチおよび時空間拡散を使用する受信器の１つのフィンガの図である。
【符号の説明】
１０  送信器
１１  第１アンテナシステム
１２  時間マルチプレクサ
１４  インバータ
１６  スイッチ
１８  増幅器
２０  増幅器
２２  ミキサ
２４  加算器
２６  スイッチ
２８  第２アンテナシステム
２９  スイッチ
３０  インバータ
３２  時間マルチプレクサ
３３  スイッチ
３４  増幅器
３６  増幅器
３８  ミキサ
４０  スイッチ
４２  加算器
５０  フィンガ
５２  ミキサ
５３  積分器
５４  ミキサ
５５  積分器
５６  ミキサ
５８  ミキサ
５９  インバータ
６０  ミキサ
６１  インバータ
６２  ミキサ
６３  インバータ
６４  加算器
６６  加算器
６８  加算器
７０  加算器
７２  時間マルチプレクサ
７４  スイッチ
７６  スイッチ
７８  スイッチ
【図１】
0003930235.tif 000002
【図２】
0003930235.tif 000003